(57)【要約】  【課題】  本体背面に壁掛け金具をビスにより取り付ける壁掛け式の薄型表示装置の本体厚みを薄くする。  【解決手段】  本体背面に壁掛け金具１３を固定するビス１２が螺合される雌ねじ穴１０を有する薄型表示装置において、バックシャーシ１の背面側の上下２辺または左右２辺の間にダイキャスト製のフレーム３をブリッジ状に架け渡し、該フレーム３上に前記雌ねじ穴１０を形成する。さらに、前記フレーム３の上面および本体背面の全面をプラスチック製の後キャビネット９により覆い、該後キャビネット９の前記雌ねじ穴１０に対応する位置にビス挿通用の孔を形成する。【選択図】  図１
2005352332.tif 000002
【特許請求の範囲】
【請求項１】
一方の面に表示用の部材を配し他方の面の薄型表示装置の駆動及び制御のためのユニットを配した、枠体を有するシャーシを有する薄型表示装置において、前記シャーシの枠体の相対する方向にブリッヂ状のダイキャストフレームが架け渡され、該ダイキャストフレームのそれぞれの端部近傍がそれぞれの該ダイキャストフレーム端部近傍に位置する枠体に固定されており、該ダイキャストフレームには壁掛け金具取付け用の雌ねじ穴を有することを特徴とする薄型表示装置。
【請求項２】
本体背面に壁掛け金具を固定するビスが螺合される雌ねじ穴を有する薄型表示装置において、
本体背面の上下２辺または左右２辺の間にフレームをブリッジ状に架け渡し、該フレーム上に前記雌ねじ穴を形成したことを特徴とする薄型表示装置。
【請求項３】
本体の略全面に配設された矩形状のバックライトシャーシと、
該バックライトシャーシの背面側の上下２辺または左右２辺の間にブリッジ状に架け渡されたダイキャスト製のフレームと、
該フレームの中間位置に形成された壁掛け金具螺着用の雌ねじ穴と、
を備えたことを特徴とする薄型表示装置。
【請求項４】
請求項３に記載の薄型表示装置において、
前記フレームの上面および本体背面の全面を覆うプラスチック製のキャビネットと、
該キャビネットの前記雌ねじ穴に対応する位置に形成されたビス挿通用の孔と、
を備えたことを特徴とする薄型表示装置。
【請求項５】
請求項４に記載の薄型表示装置において、
前記ビス挿通用孔の径を前記雌ねじ穴の形成部周囲よりも大きくし、前記雌ねじ穴の形成部周囲を前記キャビネットの表面位置まで突出させたことを特徴とする薄型表示装置。
【請求項６】
請求項１乃至５のいずれかに記載の薄型表示装置において、
前記フレームの中央または中央下端部にスタンドを取付けるための取付座面を形成したことを特徴とする薄型表示装置。
【発明の詳細な説明】
【技術分野】
【０００１】
本発明は、壁掛け式の液晶テレビ等の薄型表示装置に関し、詳しくは、本体部を薄くしながらも筐体部の強度を増大することのできる薄型表示装置に関する。
【背景技術】
【０００２】
近年、液晶テレビ等の薄型テレビは、壁掛け式、スタンド式を問わず大型画面の需要が増大の傾向にある。画面を大型化すると、その分重量が増し、それを支える筐体部分も頑強な構造であることが求められる。大型の液晶表示装置では、バックライト装置を支えるシャーシをアルミダイキャスト製にすることにより、シャーシ全体の剛性を増し、反りや撓みの発生を防止していた。なお、従来、アルミダイキャスト製のフレームを用いた液晶表示装置として、特許文献１に記載のものが知られている。しかしながら、液晶表示装置のシャーシとして、アルミダイキャスト製のフレームを用いた場合は、寸法精度の必要な部分およびビス孔部分については、後加工として機械加工を施さなければならず、余分な工程とコストが増すという問題があるとともに、シャーシ部分の薄型化かつ軽量化にも限界があった。そのため、表示装置全体としての薄さ、重さにも悪影響を与えかねないという問題が残っていた。
一方、その改善策として、シャーシ部分を板金で構成することにより、必要以上の加工を削減することができるとともに、より薄型化、軽量化することが可能であるが、シャーシ部分を板金により構成した場合は、新たに、反りや撓みが発生しないように考慮する必要があった。
また、液晶表示装置の設置形態として、壁掛け式のテレビの場合は、テレビ本体の背面を通常４本のビスで、壁掛け金具に固定しているため、テレビ本体の全重量がその４本のビス部分に集中する。そのため、ビスが螺着される筐体部分はそれらの重量を支えることが可能な強度を備える必要があり、それらの強度を満足するようにすると、ビス螺着部分が肉厚となり、その結果、テレビ本体の前後方向の厚みも増してテレビ本体の薄型化の要望に逆行することになる。
【０００３】
図１１は、従来の液晶テレビにおける壁掛け金具の取り付け部分の断面図である。図では２種類のタイプを示しているが、いずれも液晶テレビ本体の重量を支えている板金製のバックライトシャーシ３１に、ブラインドナット３２がカシメにより固着されている。バックライトシャーシ３１の前面はプラスチックのキャビネット３３により覆われており、ブラインドナット３２の前方部分のキャビネット３３に、ビス３４を挿通するための孔が開けられている。この孔の部分に壁掛け金具３５のビス孔を合わせて、壁掛け金具３５の背面からビス３４を挿入し、ブラインドナット３２に螺合することで、バックライトシャーシ３１が壁掛け金具に取り付けられる。
なお、液晶テレビにおける壁掛け金具の取り付け部分の構成については、特許文献２に記載の「表示装置の壁掛け装置」がある。
【特許文献１】特開２００４−２１１０４号公報
【特許文献２】特開２００４−０１２７７号公報
【発明の開示】
【発明が解決しようとする課題】
【０００４】
上述したように、アルミダイキャスト製のフレームを用いた場合は、寸法精度の必要な部分およびビス孔部分については、後加工として機械加工を施さなければならず、余分な工程とコストが増すという問題があるとともに、シャーシ部分の薄型化かつ軽量化にも限界があった。そのため、表示装置全体としての薄さ、重さにも悪影響を与えかねないという問題が残っていた。
一方、その改善策として、シャーシ部分を板金で構成することにより、必要以上の加工を削減することができるとともに、より薄型化、軽量化することが可能であるが、シャーシ部分を板金により構成した場合は、新たに、反りや撓みが発生しないように考慮する必要があった。また、従来の液晶テレビにおける壁掛け金具の取り付け部分は、壁掛け金具３５を固定するためのビス３４が螺合されるブラインドナット３２が、バックライトシャーシ３１の背面にカシメにより固着されている。そのため、バックライトシャーシ３１の背面は、ブラインドナット３２の高さｓ１およびｓ２の分、デッドスペースとなり、回路基板等が配置されない無駄な空間となり、その高さｓ１およびｓ２分、液晶テレビ本体の厚みが増すことになる。そこで本発明は、壁掛け金具を固定するためのビスが螺合されるブラインドナット部分の高さを低くすることにより、デッドスペースを小さくして薄型表示装置をより薄型にすることを目的とした。
【課題を解決するための手段】
【０００５】
上記課題を解決するために、本発明は、一方の面に表示用の部材を配し他方の面の薄型表示装置の駆動及び制御のためのユニットを配した、枠体を有するシャーシを有する薄型表示装置において、前記シャーシの枠体の相対する方向にブリッヂ状のダイキャストフレームが架け渡され、該ダイキャストフレームのそれぞれの端部近傍がそれぞれの該ダイキャストフレーム端部近傍に位置する枠体に固定されており、該ダイキャストフレームには壁掛け金具取付け用の雌ねじ穴を有することを特徴とする。
また、本発明は、本体背面に壁掛け金具を固定するビスが螺合される雌ねじ穴を有する薄型表示装置において、本体背面の上下２辺または左右２辺の間にフレームをブリッジ状に架け渡し、該フレーム上に前記雌ねじ穴を形成したことを特徴とする。
詳しくは、本発明は、本体の略全面に配設された矩形状のバックライトシャーシと、該バックライトシャーシの背面側の上下２辺または左右２辺の間にブリッジ状に架け渡されたダイキャスト製のフレームと、該フレームの中間位置に形成された壁掛け金具螺着用の雌ねじ穴とを備えたことを特徴とする。
さらに、本発明は、前記薄型表示装置において、前記フレームの上面および本体背面の全面を覆うプラスチック製のキャビネットと、該キャビネットの前記雌ねじ穴に対応する位置に形成されたビス挿通用の孔とを備えたことを特徴とする。
ここで、前記ビス挿通用孔の径を前記雌ねじ穴の形成部周囲よりも大きくし、前記雌ねじ穴の形成部周囲を前記キャビネットの表面位置まで突出させることが好ましい。
さらに、前記フレームの中央または中央下端部にスタンドを取付けるための取付座面を形成することも可能である。
【発明の効果】
【０００６】
以上述べたように本発明によれば、本体背面に壁掛け金具を固定するビスが螺合される雌ねじ穴を有する薄型表示装置において、本体背面の上下２辺または左右２辺の間にダイキャスト製のフレームをブリッジ状に架け渡し、該フレーム上に壁掛け金具用の雌ねじ穴を形成したことで、シャーシ部分を板金で構成した場合でも剛性を保つことができるとともに、薄型表示装置と壁掛け金具を強固に接続することが可能となり、また、雌ねじ穴の形成部分が本体背面の表面近くに形成された分、雌ねじ穴形成部分の背面に形成されデッドスペースが小さくなり、その分、薄型表示装置本体を薄くすることが可能となる。
【発明を実施するための最良の形態】
【０００７】
以下、図に基づいて本発明の実施形態を液晶テレビに適用した場合に関し説明する。
図１〜図３は液晶テレビの外観図を表し、図４，５は液晶テレビの内部構成概要図を表し、図６は液晶テレビ本体を構造的に支持するバックライトシャーシおよびフレームの斜視図であり、図７はバックライトシャーシおよびフレームの背面図であり、図８はフレームを単独で示した背面図であり、図９はフレームに壁掛け金具を取り付けた状態の要部の拡大断面図であり、図１０はフレームの雌ねじ孔にキャップを被せた状態の拡大断面図である。
【０００８】
図１〜図３において、１００は画像表示を行う液晶パネル、１０１は前キャビネット、１０２は後ろキャビネット、１０３は液晶テレビ本体の操作ボタン類、１０４はスピーカー、１０５はスタンドを表す。
次に、図４、５に基づいて液晶テレビの内部構成を説明する。液晶パネル１００は保持金具に保持され液晶パネルユニット１１０を構成し、その背面には反射／偏光シートやプリズムシートや拡散シートや拡散板などで構成する光学シート１１１がシート押えアングル１１２に保持され配置されている。バックライトシャーシ１１７の液晶パネル１００側には反射シート１１６が図示しないランプクリップで固定され、反射シート１１６の前面には、ランプホルダ上１１３とランプホルダ下１１４にて両端を固定された複数本のランプ１１５が配置されている。この部分の組み立て手順としては、バックライトシャーシ１１７の液晶パネル１００側にランプクリップにて反射シート１１６を固定した後にランプホルダ下１１４を、反射シート１１６を挟んでバックライトシャーシ１１７に固定する。次にランプ１１５をランプホルダ下１１４に所定間隔で設けられたランプ固定溝に左右の位置を合わせて配置した後、ランプホルダ上１１３を位置合わせの後にランプ１１５両端部を被せ、ランプホルダ上１１３とランプホルダ下１１４を固定することで、光源部分が完成する。次に、光学シート１１１が保持されたシート押えアングル１１２をバックライトシャーシ１１７にビス固定しその後に、事前に前キャビネット１０１に固定されている液晶パネルユニット１１０とバックライトシャーシ１１７とをビス固定することで、液晶テレビの表示光学系が前キャビネット１０１付きで完成する。  バックライトシャーシ１１７の背面(液晶パネル１００とは反対の面)
には液晶パネル１００の駆動回路ユニットや、ランプ１１５駆動回路ユニットや、映像や音声信号の受信回路ユニットや信号処理回路ユニットなどの液晶テレビの駆動や各種制御のためのユニットが搭載され、これら一連の手順で構成された液晶テレビユニットを後キャビネット１０２で被い前キャビネット１０１とビス止め固定することで、液晶テレビ本体が完成する。
【０００９】
次に図６〜図１１に基づいてバックライトシャーシ１、フレーム３および壁掛け取付け部の詳細に関し説明する。上述内容と 図６および図７に示されるように、液晶テレビ本体は、構造的にはバックライトシャーシ１により支持され、このバックライトシャーシ１の前面にがバックライト装置および液晶パネルが支持され、その外側が前キャビネット２により覆われている。バックライトシャーシ１の左右方向中央部には、バックライトシャーシ１の上端と下端にアルミダイキャスト製のフレーム３がブリッジ状に架け渡されて上下両端がバックライトシャーシ１に固定されている。このフレーム３はバックライトシャーシ１を補強して液晶テレビ本体の剛性を増すとともに、壁掛け金具１３を螺着するための４個の雌ねじ穴１０が形成されている。なお、フレーム３の下部には、この液晶テレビをスタンド式にも転用可能なように、スタンドを取り付けるための取付座面４が形成されている。
【００１０】
取付座面４は矩形状の鋼板からなり、フレーム３の下部の段差部５の下方に螺着されている。取付座面４を構成する鋼板の左右両端の上部を折り返して、内側に向けてＬ型突起６，７が形成されている。取付座面４には、スタンドを取り付けるために４個の雌ねじ穴８が形成されている。このように構成されたバックライトシャーシ１およびフレーム３は、後キャビネット９により覆われる構造をしている。
【００１１】
フレーム３に形成された雌ねじ穴１０は、図９および図１０に示されるように、従来のブラインドナット３２（図１１）に相当する袋状のボス１１に形成されている。ボス１１を袋状に構成することで、壁掛け金具１３の取付け取り外し時の切粉が液晶テレビ本体内に侵入するのを防いでいる。雌ねじ穴１０には、図９に示されるように、ビス１２が螺合されて、壁掛け金具１３が取り付けられる。なお、本発明の液晶テレビを壁掛け式からスタンド式に転用する場合は、図１０に示されるように、ボス１１の部分にキャップ１４が被せられる。ボス１１はアルミダイキャスト製のフレーム３と一体に形成され、フレーム３の前方および後方（図の右方と左方）に突設されている。ボス１１の前端は、フレーム３を覆う後キャビネット９の表面の位置まで突出されていることにより、ボス１１の後端からフレーム３の裏面までの高さｓは、従来のブラインドナット３２（図１１）の高さｓ１およびｓ２よりも低くなる。その結果、フレーム３の背面に形成されるデッドスペースが小さくなり、その分、液晶テレビ本体の厚みを薄くすることが可能となる。
【００１２】
換言すると、壁掛け金具を螺着するための雌ねじ孔を形成する部材として、従来の場合は図１１に示されるブラインドナット３２が用いられて、取り付け上、ブラインドナット３２がバックシャーシ３１の裏面側に突設される構造であった。これに対して、本発明では、雌ねじ孔１０を形成する部材として、フレーム３と一体に形成されるボス１１とし、しかもボス１１の前端を後キャビネット９の表面まで突出させたことで、ボス１１の後端の高さがその分、低くなり、雌ねじ孔１０の後方部分に形成されるデッドスペースが小さくなり、その分、液晶テレビ本体の厚みを薄くすることが可能となる。
【００１３】
なお、図示例では、フレーム３がバックライトシャーシ１の上辺と下辺の間を接続するように縦方向に架け渡されているが、バックライトシャーシ１の左辺と右辺の間を接続するように横方向に架け渡すことも可能である。また、フレーム３はアルミダイキャスト製で両端がバックライトシャーシ１に接続されていることにより、バックライトシャーシ１の前面に配置されているバックライト装置の発熱がバックライトシャーシ１を介して、フレーム３にも伝達され、フレーム３が放熱体として機能することになり、従来よりも液晶テレビ本体の発熱を効率的に外部空気に放熱することが可能となる。
【００１４】
また、本発明の液晶テレビでは、バックライトシャーシ１の背面にアルミダイキャスト製のフレーム３をブリッジ状に架け渡したことで、構造的にバックライトシャーシ１を補強することになり、その分、バックライトシャーシ１の大幅な軽量化が可能となる。その結果、フレーム３の重量増大分を差し引いても、液晶テレビ全体の軽量化が可能となる。なお、本発明の液晶テレビでは、壁掛け金具１３を用いて壁掛け式として支持しておいた後、ユーザーの都合により設置場所を移動してスタンド支持式にしたい場合は、専用のスタンドを購入して、フレーム３の取付座面４に取り付けることで、スタンド式に変更することが可能である。
【産業上の利用可能性】
【００１５】
本発明は、液晶テレビ以外にプラズマテレビ等の他の薄型表示装置にも利用可能である。
【図面の簡単な説明】
【００１６】
【図１】本発明に係る液晶テレビを斜め前上方から見た外観図である。
【図２】本発明に係る液晶テレビを斜め下後方から見た外観図である。
【図３】図２からスタンドを除去した状態を示す外観図である。
【図４】液晶テレビの内部構成を示す分解斜視図である。
【図５】図４の後部の構成を示す分解斜視図である。
【図６】本発明を液晶テレビに適用した場合のバックライトシャーシおよびフレームの斜視図である。
【図７】図６の背面図である。
【図８】図６および図７のフレームを単独で示した背面図である。
【図９】フレームに壁掛け金具を取り付けた状態の要部の拡大断面図である。
【図１０】フレームの雌ねじ孔にキャップを被せた状態の拡大断面図である。
【図１１】従来の液晶テレビにおける壁掛け金具の取り付け部分の断面図である。
【符号の説明】
【００１７】
１  バックライトシャーシ
２  前キャビネット
３  フレーム
４  取付座面
５  段差部
６，７  Ｌ型突起
８  雌ねじ穴
９  後キャビネット
１０  雌ねじ穴
１１  ボス
１２  ビス
１３  壁掛け金具
１４  キャップ
１００  液晶パネル
１０１  前キャビネット
１０２  後ろキャビネット
１０３  操作ボタン類
１０４  スピーカー 
１０５  スタンド
１１０  液晶パネルユニット
１１１  光学シート
１１２  シート押えアングル
１１３  ランプホルダ上
１１４  ランプホルダ下
１１５  ランプ
１１６  反射シート
１１７  バックライトシャーシ
【図１】
2005352332.tif 000003
【図２】
2005352332.tif 000004
【図３】
2005352332.tif 000005
【図４】
2005352332.tif 000006
【図５】
2005352332.tif 000007
【図６】
2005352332.tif 000008
【図７】
2005352332.tif 000009
【図８】
2005352332.tif 000010
【図９】
2005352332.tif 000011
【図１０】
2005352332.tif 000012
【図１１】
2005352332.tif 000013